(57)【要約】      （修正有）【課題】ナノレベルの微細気泡を効率良く発生することを可能とする微細気泡発生装置を提供する。【解決手段】この装置は、円筒状の内周面を有する筒状部材４０と、該筒状部材の一端を閉じるように設定される第１端壁部材４２と、筒状部材の他端を閉じるように設定される第２端壁部材４４とを有する。筒状部材４０、第１端壁部材４２、及び、第２端壁部材４４は流体旋回室４６を画定する。筒状部材の第２端壁部材４４に近い位置には、気液混合流体を流体旋回室４６の周面の接線方向に供給するための流体導入孔４８が設けられる。第２端壁部材には、流体旋回室の内周面の中心軸線に沿って貫通する流体吐出孔５０が設けられる。気液混合流体は、第２端壁部材近くで流体旋回室内に導入され、その多くは、流体旋回室の内周面に沿って旋回しながら第1端壁部材に向かい、反転して、第２端壁部材に向かい、流体吐出孔から排出される。【選択図】図２
2008272719.tif 000002
【特許請求の範囲】
【請求項１】
円筒状の内周面を有する筒状部材と、
該筒状部材の一端を閉じるように設定される第１端壁部材と、
該筒状部材の他端を閉じるように設定される第２端壁部材と、
該筒状部材、該第１端壁部材、及び、該第２端壁部材によって画定される流体旋回室と、
該筒状部材の軸線方向の中心位置よりも第２端壁部材寄りの位置に該筒状部材を貫通するように設けられ、気液混合流体を該流体旋回室内に、その接線方向で導入する流体導入孔と、
該筒状部材の内周面の中心軸線に沿って該第２端壁部材を貫通する流体吐出孔と、
を備える気体旋回剪断装置を有する微細気泡発生装置。
【請求項２】
該流体導入孔が、該第２端壁部材に近接して設定されている請求項１に記載の微細気泡発生装置。
【請求項３】
該流体導入孔が断面円形とされ、少なくとも該流体導入孔の直径の０．５〜２倍の長さだけ該第２端壁部材から該軸線方向で離されている請求項２に記載の微細気泡発生装置。
【請求項４】
該流体旋回室の軸線方向長さが、該流体導入孔の直径の６倍以上とされている請求項３に記載の微細気泡発生装置。
【請求項５】
該流体導入孔が、該流体旋回室の内壁面に内接して接線方向に延びることを仮想した該流体導入孔の延長方向に対し、該流体旋回室に対する内接点を中心に１０°以上３０°以内の角度で延びるように設定されている請求項１乃至４のいずれかに記載の微細気泡発生装置。
【請求項６】
該筒状部材の内周面が鏡面仕上げとされ、
該筒状部材の内周面に開口した該流体導入孔に周方向で対応する当該内周面の部分に、該内周面の軸線方向で相互に間隔をあけて設けられた、幅及び深さが１ｍｍ以下の複数の環状溝を有する請求項５に記載の微細気泡発生装置。
【請求項７】
該筒状部材及び第１及び第２端壁部材が、該流体導入孔から旋回室内に導入される流体によって発生する振動数とは異なる固有振動数を有する請求項５に記載の微細気泡発生装置。
【請求項８】
気体旋回剪断装置の該流体導入孔に接続され液体を該流体旋回室に供給する渦流ポンプであって、ケーシングと、該ケーシング内で回転するインペラーと、該ケーシングの周壁に形成された液体入口と、該ケーシングの周壁に形成された気体入口と、該ケーシングの周壁に設けられ、該インペラーの回転により吸引された液体と気体とが混合されて形成された気液混合流体を吐出する流体出口とを有する渦流ポンプを有し、該渦流ポンプの流体出口が、該気体旋回剪断装置の流体導入孔に接続されている請求項１乃至４のいずれかに記載の微細気泡発生装置。
【請求項９】
該気体旋回剪断装置の流体吐出孔に接続されて、該気体旋回剪断装置から吐出された流体を分散放出する分散器を有する請求項８に記載の微細気泡発生装置。
【請求項１０】
該分散器が、円筒状の内周面を有する筒状部材と、該筒状部材の両端を閉じるように設定された端壁部材とを有し、該筒状部材の軸線方向の中心部分に該気体旋回剪断装置の該流体吐出孔に連通された流体入口と、該筒状部材の軸線に沿って該端壁部材を貫通するように設けられた流体出口とを有する請求項９に記載の微細気泡発生装置。
【請求項１１】
請求項１乃至１０のいずれかの微細気泡発生装置を使用して微細気泡を含んだ水を作り、該水を用いて物品の洗浄を行なうようにした洗浄方法。
【請求項１２】
請求項１乃至１０のいずれかの微細気泡発生装置を使用して微細気泡を含んだ水を作り、該水に穀粒を浸漬し、該穀粒の含有水分を増加させる方法。
【請求項１３】
請求項１乃至１０のいずれかの微細気泡発生装置を使用して微細窒素気泡を含んだ水を作り、該水を用いて食品の練り材料を作る方法。
【請求項１４】
請求項１乃至１０のいずれかの微細気泡発生装置を使用して燃料油内に微細酸素気泡を発生し、燃焼効率のよい燃焼油を作る方法。
【請求項１５】
活性汚泥を用いた浄化槽の活性化汚泥を活性化させる方法において、請求項１乃至１０のいずれかの微細気泡発生装置を使用して浄化槽内の水に微細気泡を発生させ、活性汚泥を活性化させるようにした方法。
【請求項１６】
超重質油を採掘する方法において、超重質油の埋蔵層に請求項１乃至１０のいずれかの微細気泡発生装置を使用して作った微細気泡を供給し、該水を吸引して超重質油を採掘するようにした方法。
【請求項１７】
請求項１乃至１０のいずれかの微細気泡発生装置を使用して浄化槽内の水を温浴に使用して温浴効果を向上させる方法。
【発明の詳細な説明】
【技術分野】
【０００１】
本発明は、微細気泡を発生するための装置に係り、特に、直径がナノレベルとされたナノバブルを大量に発生することを可能にする微細気泡発生装置に関する。
【背景技術】
【０００２】
近年、直径がミクロレベル、ナノレベルとされた微細バブルの種々の利用方法が注目されており、また、微細バブル発生のための装置が種々提案されているが、本発明は、円筒形にされた内部空間を有し、該内部空間に気体を含む液体を導入して旋回流を起こさせ、旋回流により生じる剪断力によって気体を微細化する装置に関する。
【０００３】
この種の装置としては、例えば、特開２００１−２７６５８９号に開示されてものがある。この公報に開示された装置は、微細気泡を発生させる液体貯留タンク内の液中に上下方向に延びるようにして浸漬された筒状の旋回流発生部材を有する。該旋回流発生部材は、その上端部分に気液混合流体を導入する１つの導入孔が該筒状部材の内周面に対して接線方向で交わるように設けられ、その下端部分には漏斗状部分が設けられ、その下端に流体吐出口が設けられている。導入孔にはポンプからの加圧流体を供給するパイプが接続され、該パイプの途中にはアスピレータが接続されて、該アスピレータを通して空気が気泡として混入された液体が、該導入孔を介して旋回流発生部材内部に導入される。導入された気液混合流体は、旋回流発生部材内部を旋回しながら下方に進み、同部材の下端の流体吐出口から旋回しながら液体貯留タンク内に吐出される。吐出された気液混合流体と貯留タンク内の液体との間には剪断力が生じ、気液混合流体内の気泡が微細化される。
【０００４】
特開２００３−１１７３６８は、円筒形などとされた内周面を有する筒状部材を有する微細気泡発生装置を開示している。この装置では、液体供給のためのポンプに液体と共に空気を導入し、該ポンプ内で気泡を含んだ気液混合流体を作り、この気液混合流体を筒状部材内に、該筒状部材の一端近くに設けた１つの導入孔を通して導入するようになっている。導入された気液混合流体は、旋回しながら筒状部材内を他端に向けて軸線方向で進み、該他端に設けられた吐出口から吐出され、気泡が微細化される。この公報はまた、筒状部材の軸線方向中心部分に設けた導入孔を通して気液混合流体を該筒状部材内に導入するようにし、導入された気液混合液体が該筒状部材の両端に向けて旋回して進み、該両端に設けた吐出口から吐出されるようにした装置も開示している。
【０００５】
特許３６８２２８６号は、液体貯留槽の液体内に浸漬される、卵形又は楕円形の内周面を有する旋回流発生部材を備える気泡微細化装置を開示している。この装置では、楕円の長軸の中心部分に気液混合流体を導入する１つの導入孔が設けられ、該導入孔から導入された気液混合流体が、長軸方向両端に設けられた吐出口に向って旋回流となって進み、該吐出口から排出される。気液混合流体中の気体は、旋回流発生部材内での旋回流及び吐出される際にかかる剪断力などによって微細化されるとされている。
【０００６】
特開２００２−１１３３５及び同２００２−１６６１５１は、円筒状内周面を有する旋回流発生部材内に、その軸線方向で間隔をあけた２つの気液混合導入孔から気液混合流体を導入し、旋回流発生部材の両端に設けた吐出口から気液混合流体を吐出する装置を開示している。
【特許文献１】特開２００１−２７６５８９号公報
【特許文献２】特開２００３−１１７３６８号公報
【特許文献３】特許３６８２２８６号
【特許文献４】特開２００２−１１３３５号公報
【特許文献５】特開２００２−１６６１５１号公報
【発明の開示】
【発明が解決しようとする課題】
【０００７】
上述した微細気泡発生装置は、いずれも気液混合流体に旋回流を生じさせることにより流体内に含まれる気泡を微細化するものであるが、ナノレベルでの気泡（ナノバブル）発生を効率良く行なうものは見られなかった。
【０００８】
本発明は、ナノバブルを効率良く発生することを可能とする微細気泡発生装置を提供することを目的としている。
【課題を解決するための手段】
【０００９】
すなわち、本発明は
円筒状の内周面を有する筒状部材と、
該筒状部材の一端を閉じるように設定される第１端壁部材と、
該筒状部材の他端を閉じるように設定される第２端壁部材と、
該筒状部材、該第１端壁部材、及び、該第２端壁部材によって画定される流体旋回室と、
該筒状部材の軸線方向の中心位置よりも第２端壁部材寄りの位置に該筒状部材を貫通するように設けられ、気液混合流体を該流体旋回室内に、その接線方向で導入する１つの流体導入孔と、
該筒状部材の内周面の中心軸線に沿って該第２端壁部材を貫通する流体吐出孔と、
を備える気体旋回剪断装置を有する微細気泡発生装置を提供する。
【００１０】
この微細気泡発生装置の特徴は、流体導入孔を該筒状部材の軸線方向の中心位置よりも第２端壁部材寄りの位置に設けたことである。このようにしたことで、流体導入孔を通して流体旋回室内に導入された気液混合流体の多くは、前述した１つの流体導入孔を備えた微細気泡発生装置とは異なり、吐出口が設けられていない第１端壁部材に向けて旋回流となって進み、第１端壁によって当該流体旋回室の半径方向中心部に向けられながら反転し、旋回速度を更に高め、第２端壁部材に向かい、流体吐出口から外部へ吐出されるようになる。
【００１１】
すなわち、この装置においては、流体旋回室内に導入された気液混合流体の多くは、前述の従来装置におけるように単純に吐出口に向うのとは異なり、一旦、吐出口のある方向とは反対方向に旋回流として進む。そして、その旋回流は、第１端壁部材によって反転させられ該第１端壁部材から第２端壁部材に向けて進むことになるが、このときの旋回回転半径は第１端壁部材に向かうときに比べて小さくなるので、その流速は高速となり、従って、該液体内に含まれる気体への剪断力が大きくなり、その微細化が促進される。
【００１２】
具体的には、流体導入孔は、第２端壁部材に近接して設定することができる。より具体的には、流体導入孔が断面円形とされ、少なくとも流体導入孔の直径の０．５〜２倍の長さだけ第２端壁部材から軸線方向で離されるようにすることができる。
【００１３】
流体導入孔を第２端壁部材に接するようにしないのは、流体導入孔を通して導入された気液混合流体が第２端壁による摩擦抵抗により、旋回速度が低下されるのを防ぐためである。
【００１４】
また、流体旋回室の軸線方向長さは、流体導入孔の直径の６倍以上とすることが好ましい。第１端壁部材に向う旋回流、そして第１端壁部材から第２端壁部材に向う旋回流の経路できるだけ長くするためである。
【００１５】
更に、流体導入孔が、流体旋回室の内壁面に内接して接線方向に延びることを仮想した該流体導入孔の延長方向に対し、該流体旋回室に対する内接点を中心に１０°より大きく３０°より小さい角度で延びるようにすることが好ましく、より好ましくは、１５°〜２０°程度とする。この数値は、実際の試作品により得た数字であり、流体導入孔を真の接線方向に設定するより効率の良いナノバブル発生を見ることができた。
【００１６】
筒状部材の内周面は鏡面仕上げとし、筒状部材の内周面に開口した流体導入孔に周方向で対応する当該内周面の部分に、該内周面の軸線方向で相互に間隔をあけて設けられた、幅及び深さが１ｍｍ以下の複数の環状溝を有するようにすることができる。
【００１７】
このようにすることにより、流体旋回室内に導入された気液混合流体を、軸線方向で余り広がらない状態で旋回流とすることができる。
【００１８】
該筒状部材及び第１及び第２端壁部材が、該流体導入孔から旋回室内に導入される流体によって発生する振動数とは異なる固有振動数を有するようにする。筒状部材の振動が大きくなると、円滑に旋回流が発生するための支障となるので、これを防止するものである。
【００１９】
より具体的には、気体旋回剪断装置の該流体導入孔に接続され液体を該流体旋回室に供給する渦流ポンプであって、ケーシングと、該ケーシング内で回転するインペラーと、該ケーシングの周壁に形成された液体入口と、該ケーシングの周壁に形成された気体入口と、該ケーシングの周壁に設けられ、該インペラーの回転により吸引された液体と気体とが混合されて形成された気液混合流体を吐出する流体出口とを有する渦流ポンプを有し、該渦流ポンプの流体出口が、該気体旋回剪断装置の流体導入孔に接続されるようにすることができる。このような渦流ポンプを使用することによって気体旋回剪断装置に導入される前に気体が微細化され、より効率の良いナノバブル発生が可能となる。
【００２０】
気体旋回剪断装置の流体吐出孔には、気体旋回剪断装置から吐出された流体を分散放出する分散器を接続することが好ましい。具体的には、この分散器は、円筒状の内周面を有する筒状部材と、該筒状部材の両端を閉じるように設定された端壁部材とを有し、該筒状部材の軸線方向の中心部分に気体旋回剪断装置の流体吐出孔に連通された流体入口と、該筒状部材の軸線に沿って端壁部材を貫通するように設けられた流体出口とを有するものとすることができる。
【図面の簡単な説明】
【００２１】
【図１】本発明に係る微細気泡発生装置を説明するための図である。
【図２】微細気泡発生装置で用いられている気体旋回剪断装置の内部を説明するための図である。
【図３】図２におけるIII‐III線断面図である。
【発明を実施するための最良の形態】
【００２２】
以下、添付図面に基づき、本発明に係る微細気泡発生装置の実施形態につき説明する。
【００２３】
図１は、本発明に係る微細気泡発生装置１０の説明図である。該装置１０は、気液混合流体を作るための渦流ポンプ１２と、該渦流ポンプで作られた気液混合流体を受け入れて該気液混合流体中に含まれる気体を微細化するための気体旋回剪断装置１４と、該気体旋回剪断装置によって気体が微細化された流体を分散排出するための分散器１６とを有している。分散器１６は、液体貯留槽３６内の液体内に浸漬されており、微細化された気泡を該液体貯留槽３６内の液体Ｌ内に分散放出するようになっている。また、液体貯留槽３６の液体はパイプ３８を介してポンプ１２に供給されるようになっている。
【００２４】
渦流ポンプ１２は、ハウジング２０と、該ハウジング内に収納されて回転駆動されるインペラー２２とを有する。ハウジング２０には、パイプ３８に接続されて、液体貯留槽３６内の液体を当該パイプ内に吸引するための液体吸引孔２４と、該液体吸引孔に連通されて、液体吸引孔２４内を流れる液体内に気体が吸引されるようにする気体吸引孔２６と、ハウジング内に吸引された液体及び気体がインペラー２２の回転により混合されて形成された気液混合流体を吐出する吐出孔２８が設けられている。吐出孔２８は、液体吸引孔２４よりも直径が小さくされており、気体旋回剪断装置１４への流体吐出速度が大きくなるようにしている。
【００２５】
気体吸引孔２６には、パイプ３０が接続されており、該パイプにはソレノイドバルブ３２が取り付けられており、ポンプ１２を駆動するときには、ソレノイドバルブ３２は閉じた状態にされ、ポンプ始動後、一定時間（例えば６０秒）が経ってから開放されるようにされている。これは、ポンプ内に吸引される気体によるポンプ内でのキャビテーション発生をできるだけ少なくするためである。
【００２６】
気体旋回剪断装置１４は、図２及び図３に示すように、円筒状の内周面を有する筒状部材４０と、該筒状部材４０の一端を閉じるように設定された第１端壁部材４２と、筒状部材４０の他端を閉じるように設定された第２端壁部材４４と、筒状部材４０、第１端壁部材４２、及び、第２端壁部材４４によって画定される流体旋回室４６と、筒状部材４０の軸線方向の中心位置よりも第２端壁部材４４寄りの位置に筒状部材４０を貫通するように設けられ、気液混合流体を流体旋回室４６内に、その接線方向で導入する流体導入孔４８と、筒状部材４０の内周面の中心軸線に沿って第２端壁部材４４を貫通する流体吐出孔５０とを備える。
【００２７】
図示の例では、筒状部材４０の外周面には流体導入孔４８に連通された接続用管５４が取り付けられており、ポンプ１２の吐出孔２８から延びるパイプ５５に接続されるようになっている。また、第２端壁部材４４には流体吐出孔５０に連通された接続用管５４が取り付けられており、分散器１６との間に延びるパイプに接続されるようになっている。
【００２８】
また、図示の例では、該流体導入孔４８は、第２端壁部材４４に近接して設定されており、具体的には、流体導入孔４８が断面円形とされ、該流体導入孔４８のほぼ直径分だけ第２端壁部材４４から離されている。
【００２９】
流体旋回室４６は、その軸線方向長さが、流体導入孔４８の直径の５倍以上、直径が流体導入孔の直径の４倍以上とされる。図示の例では、流体導入孔４８の直径に対して軸線方向長さが約１２倍、直径が約５倍とされている。
【００３０】
また、流体導入孔４８及びそれの連通された接続用管５４は、当該流体導入孔４８が流体旋回室４６の内壁面に内接して接線方向に延びることを仮想したその内接接線Ｔに対し、内接点Iを中心に１０°以上３０°以内の角度θで延びるように設定され、好ましくは約１５°〜２０°とされる。
【００３１】
筒状部材の内周面は鏡面仕上げとされ、該内周面に開口した流体導入孔４８に周方向で対応する当該内周面の部分には、該内周面の軸線方向で相互に間隔をあけて設けられた、幅及び深さが１ｍｍ以下の複数の環状溝５６が設けられる。図示の例では、流体導入孔４８に周方向で対応する内周面部分に５本の溝が設けられており、更に、その両側に１本ずつ追加の溝が設けられている。また、環状溝５６の具体的サイズとしては、深さ０．３ｍｍ、幅０．５ｍｍとされている。
【００３２】
筒状部材４０及び第１及び第２端壁部材４２，４４は、流体導入孔４８から旋回室４６内に導入される流体によって発生する振動数とは異なる固有振動数を有するような質量等を有するようにされる。
【００３３】
分散器１６は、円筒状の内周面を有する筒状部材６０と、該筒状部材の両端を閉じるように設定された端壁部材６２とを有し、筒状部材６０の軸線方向の中心部分に気体旋回剪断装置１４の流体吐出孔５０に連通された流体入口６４と、筒状部材の軸線に沿って該端壁部材を貫通するように設けられた流体出口６６とを有する。
【００３４】
気体旋回剪断装置１４の流体吐出孔５０から吐出された流体は、分散器１６の流体入口６４から該分散器１６内に流入し、旋回しながら軸線方向両側に分かれて、流体出口６６から液体貯槽内の液体内に分散放出される。
【００３５】
微細気泡発生装置１０を作動させるには、ポンプ１２を駆動し、液体貯留槽内の液体を吸引し、該ポンプ１２、気体旋回剪断装置１４、分散器１６そして液体貯留槽３６を循環する液体の流れを生じさせる。
【００３６】
ポンプ１２が駆動されてから一定時間後、例えば６０秒後にソレノイドバルブ３２が開かれ、空気がパイプ３０を通って吸引され、ポンプのハウジング内には気液が混合した流体が導入される。ポンプのハウジング内に導入された気液混合流体は、インペラーの作用によって該ハウジング内の内周面に沿って駆動されて吐出孔２８を介して吐出されるが、その間に、流体内の気体は該流体内に生じる乱流による剪断力を受けて微細化が行なわれ、一部はミクロレベルまでなるものも生じ得る。
【００３７】
吐出孔２８からの気液混合流体は、気体旋回剪断装置１４の流体旋回室４６内に導入され、該室内で前述の如き旋回流とされ、強力な剪断力を受けて、内部の気体が更に微細化される。この気体旋回剪断装置内での強力な剪断力は多くの気体がナノレベルまで微細化されるのを可能とする。
【００３８】
気体旋回剪断装置１４から吐出された気液混合流体は、分散器１６によって再度旋回流とされながら液体貯留槽３６内に放出される。このため、この分散器においても気泡の微細化は行なわれる。
【００３９】
図示の例では、液体は液体貯留槽からポンプ１２、気体旋回剪断装置１４、分散器１６を通って循環するようになされているが、ポンプへの液体の供給は該液体貯留槽３６とは別のところから供給するようにしても良い。ただ、図示の例のように循環式にすることにより、気体の微細化が口返し行なわれることになるので、より微細な気泡を得ることが可能となる。
【００４０】
具体的な実施例としては、流体旋回剪断装置の筒状部材４０、端壁部材４２，４４を１０ｍｍ厚のステンレススチールで作り、流体旋回室の軸線方向長さ１１０ｍｍ、内径４３−５５ｍｍとし、流体導入孔４８及び接続管５４の内径を１０ｍｍ、第２端壁部材４４から流体導入孔４８の中心線までの間隔を２０ｍｍ、接続管５４の取付角度θを約１８度、ポンプからの吐出量を毎分１２０リットルとした場合、ナノレベルとされた微細気泡が多数発生されるのが確認された。
【００４１】
以上、本発明の微細気泡発生装置の実施形態につき述べたが、この微細気泡発生装置は種々の用途に使用することができる。
【００４２】
例えば、本発明にかかる微細気泡発生装置でナノバブルを発生した水（以下、「ナノバブル水」とする）は界面活性作用、濡れ性が高く、繊維、金属金型、機械部品、シリコン・ウエハーその他種々のものの洗浄に使用することができる。シリコン・ウエハーなどの洗浄においては、窒素のナノバブルとすることが好ましい。
より具体的な例としては、製鉄所で作られる鋼材を圧延した鉄材に発生するスケール（酸化鉄）を除去するための酸洗装置に利用することができる。すなわち、酸洗装置は酸洗槽を備え、該酸洗槽中に貯留した塩酸、硫酸等を含んだ酸洗液を一定温度に加熱し、その中に鉄材を浸漬することにより、表面に発生したスケールを除去するものであるが、前述した本発明にかかる微細気泡発生装置における液体貯留槽３６を酸洗槽として用いるものである。酸洗層内の酸洗液内にナノレベルでの微細気泡を発生することにより、酸洗効果を向上することができ、酸洗作業時間を短縮でき、また、酸洗液の加熱温度も抑えることができる。従ってまた、硫酸や塩酸の使用量を少なくすることが可能であり、この場合、廃液処理も容易になる。また、この変形例としては、液体貯留槽３６内で生じる気泡には、比較的大きな気泡が含まれる場合もあり、酸洗効率の妨げとなることも考えられるので、該液体貯留槽内の酸洗液から、そのような比較的大きな気泡を除去したものを別の酸洗槽に供給して酸洗作業を行なうようにすることもできる。
また、地底に埋蔵されている超重質油を採掘するためには、界面活性剤を含んだ水を地中深くにある超重質油槽に注入し、この水と混じった超重質油を吸い上げることが行なわれるが、ナノバブル水を用いれば、界面活性剤の使用を少なくすることができ、また、採掘した超重質油を界面活性剤から分離する作業も大幅に軽減することが可能となる。
【００４３】
また、ナノバブル水は、浸透性が高く、例えば、アルコール醸造などに利用することができる。すなわち、例えば、日本酒を醸造する場合、精米を初めに水に２４時間位浸けた後で蒸すが、ナノバブル水に浸けた場合は４分の１の６時間位で十分となる。
【００４４】
また、パンや魚肉練り製品などを作るときに、窒素を使ったナノバブル水を作り、このナノバブル水により小麦粉や魚肉を練ると、小麦粉や魚肉中の好気性菌が死滅するので、腐敗防止用剤を使用することなく、これらパンや魚肉練り製品などの腐敗を防止することが可能となる。
【００４５】
更に、河川などの水の浄化に使用することもでき、特に、活性汚泥法を用いた浄化槽では、ナノバブル水を用いれば、活性汚泥すなわちバクテリアを活性化することができ、浄化効率を向上することができる。
【００４６】
さらに、本発明に係る微細気泡発生装置により石油などの燃焼油に酸素若しくは空気のナノバブルを発生させれば、その燃焼効率を大幅に改善することが可能である。
【００４７】
更に、ナノバブルには生理活性作用を奏することができ、例えば、ナノバブルに手を入れれば、毛穴が開き毛穴にある皮脂が除去される。従って、例えば、不織布などの布材にナノバブル水を含浸させることにより手拭用の濡れティシューや化粧落としとすることができる。
また、お風呂で使えば、ナノバブル水の生理活性作用により温浴効果を高めることができる。
【００４８】
また、ナノバブル水のナノバブルを超音波などや光エネルギーなどで破壊することによる微小領域での爆発力を生じることができ、例えば、これにより遺伝子組み換えの際の遺伝子切離しに使用することが可能である。
【図１】
2008272719.tif 000003
【図２】
2008272719.tif 000004
【図３】
2008272719.tif 000005
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
円筒状の内周面を有する筒状部材と、
該筒状部材の一端を閉じるように設定される第１端壁部材と、
該筒状部材の他端を閉じるように設定される第２端壁部材と、
該筒状部材、該第１端壁部材、及び、該第２端壁部材によって画定される流体旋回室と、
該筒状部材の軸線方向の中心位置よりも第２端壁部材寄りの位置に該筒状部材を貫通するように設けられ、気液混合流体を該流体旋回室内に、その接線方向で導入する１つの流体導入孔と、
該筒状部材の内周面の中心軸線に沿って該第２端壁部材を貫通する流体吐出孔と、
を備える気体旋回剪断装置；及び、
該気体旋回剪断装置の流体吐出孔に接続されて、該気体旋回剪断装置から吐出された流体を分散放出する分散器であって、円筒状の内周面を有する筒状部材と、該筒状部材の両端を閉じるように設定された端壁部材とを有し、該筒状部材の軸線方向の中心部分に該気体旋回剪断装置の該流体吐出孔に連通された流体入口と、該筒状部材の軸線に沿って該端壁部材を貫通するように設けられた流体出口とを有する分散器；
を有する微細気泡発生装置。
【請求項２】
該流体導入孔が、該第２端壁部材に近接して設定されている請求項１に記載の微細気泡発生装置。
【請求項３】
該流体導入孔が断面円形とされ、少なくとも該流体導入孔の直径の０．５〜２倍の長さだけ該第２端壁部材から該軸線方向で離されている請求項２に記載の微細気泡発生装置。
【請求項４】
該流体旋回室の軸線方向長さが、該流体導入孔の直径の６倍以上とされている請求項３に記載の微細気泡発生装置。
【請求項５】
該流体導入孔が、該流体旋回室の内壁面に内接して接線方向に延びることを仮想した該流体導入孔の延長方向に対し、該流体旋回室に対する内接点を中心に１０°以上３０°以内の角度で延びるように設定されている請求項１乃至４のいずれかに記載の微細気泡発生装置。
【請求項６】
該気体旋回剪断装置の該筒状部材及び該第１及び第２端壁部材が、該流体導入孔から旋回室内に導入される流体によって発生する振動数とは異なる固有振動数を有する請求項１乃至５のいずれかに記載の微細気泡発生装置。
【請求項７】
気体旋回剪断装置の該流体導入孔に接続され液体を該流体旋回室に供給する渦流ポンプであって、ケーシングと、該ケーシング内で回転するインペラーと、該ケーシングの周壁に形成された液体入口と、該ケーシングの周壁に形成された気体入口と、該ケーシングの周壁に設けられ、該インペラーの回転により吸引された液体と気体とが混合されて形成された気液混合流体を吐出する流体出口とを有し、該渦流ポンプの流体出口が、該気体旋回剪断装置の流体導入孔に接続されている渦流ポンプを有する請求項１乃至６のいずれかに記載の微細気泡発生装置。
【請求項８】
請求項１乃至７のいずれかの微細気泡発生装置を使用して微細気泡を含んだ水を作り、該水を用いて物品の洗浄を行なうようにした洗浄方法。
【請求項９】
請求項１乃至７のいずれかの微細気泡発生装置を使用して微細気泡を含んだ水を作り、該水に穀粒を浸漬し、該穀粒の含有水分を増加させる方法。
【請求項１０】
請求項１乃至７のいずれかの微細気泡発生装置を使用して微細窒素気泡を含んだ水を作り、該水を用いて食品の練り材料を作る方法。
【請求項１１】
請求項１乃至７のいずれかの微細気泡発生装置を使用して燃料油内に微細酸素気泡を発生し、燃焼効率のよい燃焼油を作る方法。
【請求項１２】
請求項１乃至７のいずれかの微細気泡発生装置を使用して浄化槽内の水に微細気泡を発生させ、活性汚泥を活性化させるようにした、浄化槽の活性化汚泥を活性化させる方法。
【請求項１３】
超重質油を採掘する方法において、超重質油の埋蔵層に請求項１乃至７のいずれかの微細気泡発生装置を使用して作った微細気泡を含む水を供給し、該水を吸引して超重質油を採掘するようにした方法。
【請求項１４】
請求項１乃至７のいずれかの微細気泡発生装置を使用して浴槽内のお湯に微細気泡を発生させ温浴効果を向上させる方法。
【手続補正２】
【補正対象書類名】明細書
【補正対象項目名】全文
【補正方法】変更
【補正の内容】
【発明の詳細な説明】
【技術分野】
【０００１】
本発明は、微細気泡を発生するための装置に係り、特に、直径がナノレベルとされたナノバブルを大量に発生することを可能にする微細気泡発生装置に関する。
【背景技術】
【０００２】
近年、直径がミクロレベル、ナノレベルとされた微細バブルの種々の利用方法が注目されており、また、微細バブル発生のための装置が種々提案されているが、本発明は、円筒形にされた内部空間を有し、該内部空間に気体を含む液体を導入して旋回流を起こさせ、旋回流により生じる剪断力によって気体を微細化する装置に関する。
【０００３】
この種の装置としては、例えば、特開２００１−２７６５８９号に開示されてものがある。この公報に開示された装置は、微細気泡を発生させる液体貯留タンク内の液中に上下方向に延びるようにして浸漬された筒状の旋回流発生部材を有する。該旋回流発生部材は、その上端部分に気液混合流体を導入する１つの導入孔が該筒状部材の内周面に対して接線方向で交わるように設けられ、その下端部分には漏斗状部分が設けられ、その下端に流体吐出口が設けられている。導入孔にはポンプからの加圧流体を供給するパイプが接続され、該パイプの途中にはアスピレータが接続されて、該アスピレータを通して空気が気泡として混入された液体が、該導入孔を介して旋回流発生部材内部に導入される。導入された気液混合流体は、旋回流発生部材内部を旋回しながら下方に進み、同部材の下端の流体吐出口から旋回しながら液体貯留タンク内に吐出される。吐出された気液混合流体と貯留タンク内の液体との間には剪断力が生じ、気液混合流体内の気泡が微細化される。
【０００４】
特開２００３−１１７３６８は、円筒形などとされた内周面を有する筒状部材を有する微細気泡発生装置を開示している。この装置では、液体供給のためのポンプに液体と共に空気を導入し、該ポンプ内で気泡を含んだ気液混合流体を作り、この気液混合流体を筒状部材内に、該筒状部材の一端近くに設けた１つの導入孔を通して導入するようになっている。導入された気液混合流体は、旋回しながら筒状部材内を他端に向けて軸線方向で進み、該他端に設けられた吐出口から吐出され、気泡が微細化される。この公報はまた、筒状部材の軸線方向中心部分に設けた導入孔を通して気液混合流体を該筒状部材内に導入するようにし、導入された気液混合液体が該筒状部材の両端に向けて旋回して進み、該両端に設けた吐出口から吐出されるようにした装置も開示している。
【０００５】
特許３６８２２８６号は、液体貯留槽の液体内に浸漬される、卵形又は楕円形の内周面を有する旋回流発生部材を備える気泡微細化装置を開示している。この装置では、楕円の長軸の中心部分に気液混合流体を導入する１つの導入孔が設けられ、該導入孔から導入された気液混合流体が、長軸方向両端に設けられた吐出口に向って旋回流となって進み、該吐出口から排出される。気液混合流体中の気体は、旋回流発生部材内での旋回流及び吐出される際にかかる剪断力などによって微細化されるとされている。
【０００６】
特開２００２−１１３３５及び同２００２−１６６１５１は、円筒状内周面を有する旋回流発生部材内に、その軸線方向で間隔をあけた２つの気液混合導入孔から気液混合流体を導入し、旋回流発生部材の両端に設けた吐出口から気液混合流体を吐出する装置を開示している。
【特許文献１】特開２００１−２７６５８９号公報
【特許文献２】特開２００３−１１７３６８号公報
【特許文献３】特許３６８２２８６号
【特許文献４】特開２００２−１１３３５号公報
【特許文献５】特開２００２−１６６１５１号公報
【発明の開示】
【発明が解決しようとする課題】
【０００７】
上述した微細気泡発生装置は、いずれも気液混合流体に旋回流を生じさせることにより流体内に含まれる気泡を微細化するものであるが、ナノレベルでの気泡（ナノバブル）発生を効率良く行なうものは見られなかった。
【０００８】
本発明は、ナノバブルを効率良く発生することを可能とする微細気泡発生装置を提供することを目的としている。
【課題を解決するための手段】
【０００９】
すなわち、本発明は
円筒状の内周面を有する筒状部材と、
該筒状部材の一端を閉じるように設定される第１端壁部材と、
該筒状部材の他端を閉じるように設定される第２端壁部材と、
該筒状部材、該第１端壁部材、及び、該第２端壁部材によって画定される流体旋回室と、
該筒状部材の軸線方向の中心位置よりも第２端壁部材寄りの位置に該筒状部材を貫通するように設けられ、気液混合流体を該流体旋回室内に、その接線方向で導入する１つの流体導入孔と、
該筒状部材の内周面の中心軸線に沿って該第２端壁部材を貫通する流体吐出孔と、
を備える気体旋回剪断装置；及び、
該気体旋回剪断装置の流体吐出孔に接続されて、該気体旋回剪断装置から吐出された流体を分散放出する分散器であって、円筒状の内周面を有する筒状部材と、該筒状部材の両端を閉じるように設定された端壁部材とを有し、該筒状部材の軸線方向の中心部分に該気体旋回剪断装置の該流体吐出孔に連通された流体入口と、該筒状部材の軸線に沿って該端壁部材を貫通するように設けられた流体出口とを有する分散器；
を有する微細気泡発生装置を提供する。
【００１０】
この微細気泡発生装置の特徴は、流体導入孔を該筒状部材の軸線方向の中心位置よりも第２端壁部材寄りの位置に設けたことである。このようにしたことで、流体導入孔を通して流体旋回室内に導入された気液混合流体の多くは、前述した１つの流体導入孔を備えた微細気泡発生装置とは異なり、吐出口が設けられていない第１端壁部材に向けて旋回流となって進み、第１端壁によって当該流体旋回室の半径方向中心部に向けられながら反転し、旋回速度を更に高め、第２端壁部材に向かい、流体吐出口から外部へ吐出されるようになる。
【００１１】
すなわち、この装置においては、流体旋回室内に導入された気液混合流体の多くは、前述の従来装置におけるように単純に吐出口に向うのとは異なり、一旦、吐出口のある方向とは反対方向に旋回流として進む。そして、その旋回流は、第１端壁部材によって反転させられ該第１端壁部材から第２端壁部材に向けて進むことになるが、このときの旋回回転半径は第１端壁部材に向かうときに比べて小さくなるので、その流速は高速となり、従って、該液体内に含まれる気体への剪断力が大きくなり、その微細化が促進される。
この装置では、更に、上述の分散器を備えることにより、上記気体旋回剪断装置によって微細化された気体が更に微細化されるのを可能としている。
【００１２】
具体的には、流体導入孔は、第２端壁部材に近接して設定することができる。より具体的には、流体導入孔が断面円形とされ、少なくとも流体導入孔の直径の０．５〜２倍の長さだけ第２端壁部材から軸線方向で離されるようにすることができる。
【００１３】
流体導入孔を第２端壁部材に接するようにしないのは、流体導入孔を通して導入された気液混合流体が第２端壁による摩擦抵抗により、旋回速度が低下されるのを防ぐためである。
【００１４】
また、流体旋回室の軸線方向長さは、流体導入孔の直径の６倍以上とすることが好ましい。第１端壁部材に向う旋回流、そして第１端壁部材から第２端壁部材に向う旋回流の経路をできるだけ長くするためである。
【００１５】
更に、流体導入孔が、流体旋回室の内壁面に内接して接線方向に延びることを仮想した該流体導入孔の延長方向に対し、該流体旋回室に対する内接点を中心に１０°より大きく３０°より小さい角度で延びるようにすることが好ましく、より好ましくは、１５°〜２０°程度とする。この数値は、実際の試作品により得た数字であり、流体導入孔を真の接線方向に設定するより効率の良いナノバブル発生を見ることができた。
【００１６】
該筒状部材及び第１及び第２端壁部材が、該流体導入孔から旋回室内に導入される流体によって発生する振動数とは異なる固有振動数を有するようにする。筒状部材の振動が大きくなると、円滑に旋回流が発生するための支障となるので、これを防止するものである。
【００１７】
より具体的には、気体旋回剪断装置の該流体導入孔に接続され液体を該流体旋回室に供給する渦流ポンプであって、ケーシングと、該ケーシング内で回転するインペラーと、該ケーシングの周壁に形成された液体入口と、該ケーシングの周壁に形成された気体入口と、該ケーシングの周壁に設けられ、該インペラーの回転により吸引された液体と気体とが混合されて形成された気液混合流体を吐出する流体出口とを有する渦流ポンプを有し、該渦流ポンプの流体出口が、該気体旋回剪断装置の流体導入孔に接続されるようにすることができる。このような渦流ポンプを使用することによって気体旋回剪断装置に導入される前に気体が微細化され、より効率の良いナノバブル発生が可能となる。
【発明を実施するための最良の形態】
【００１８】
以下、添付図面に基づき、本発明に係る微細気泡発生装置の実施形態につき説明する。
【００１９】
図１は、本発明に係る微細気泡発生装置１０の説明図である。該装置１０は、気液混合流体を作るための渦流ポンプ１２と、該渦流ポンプで作られた気液混合流体を受け入れて該気液混合流体中に含まれる気体を微細化するための気体旋回剪断装置１４と、該気体旋回剪断装置によって気体が微細化された流体を分散排出するための分散器１６とを有している。分散器１６は、液体貯留槽３６内の液体内に浸漬されており、微細化された気泡を該液体貯留槽３６内の液体Ｌ内に分散放出するようになっている。また、液体貯留槽３６の液体はパイプ３８を介してポンプ１２に供給されるようになっている。
【００２０】
渦流ポンプ１２は、ハウジング２０と、該ハウジング内に収納されて回転駆動されるインペラー２２とを有する。ハウジング２０には、パイプ３８に接続されて、液体貯留槽３６内の液体を当該パイプ内に吸引するための液体吸引孔２４と、該液体吸引孔に連通されて、液体吸引孔２４内を流れる液体内に気体が吸引されるようにする気体吸引孔２６と、ハウジング内に吸引された液体及び気体がインペラー２２の回転により混合されて形成された気液混合流体を吐出する吐出孔２８が設けられている。吐出孔２８は、液体吸引孔２４よりも直径が小さくされており、気体旋回剪断装置１４への流体吐出速度が大きくなるようにしている。
【００２１】
気体吸引孔２６には、パイプ３０が接続されており、該パイプにはソレノイドバルブ３２が取り付けられており、ポンプ１２を駆動するときには、ソレノイドバルブ３２は閉じた状態にされ、ポンプ始動後、一定時間（例えば６０秒）が経ってから開放されるようにされている。これは、ポンプ内に吸引される気体によるポンプ内でのキャビテーション発生をできるだけ少なくするためである。
【００２２】
気体旋回剪断装置１４は、図２及び図３に示すように、円筒状の内周面を有する筒状部材４０と、該筒状部材４０の一端を閉じるように設定された第１端壁部材４２と、筒状部材４０の他端を閉じるように設定された第２端壁部材４４と、筒状部材４０、第１端壁部材４２、及び、第２端壁部材４４によって画定される流体旋回室４６と、筒状部材４０の軸線方向の中心位置よりも第２端壁部材４４寄りの位置に筒状部材４０を貫通するように設けられ、気液混合流体を流体旋回室４６内に、その接線方向で導入する流体導入孔４８と、筒状部材４０の内周面の中心軸線に沿って第２端壁部材４４を貫通する流体吐出孔５０とを備える。
【００２３】
図示の例では、筒状部材４０の外周面には流体導入孔４８に連通された接続用管５４が取り付けられており、ポンプ１２の吐出孔２８から延びるパイプ５５に接続されるようになっている。また、第２端壁部材４４には流体吐出孔５０に連通された接続用管５４が取り付けられており、分散器１６との間に延びるパイプに接続されるようになっている。
【００２４】
また、図示の例では、該流体導入孔４８は、第２端壁部材４４に近接して設定されており、具体的には、流体導入孔４８が断面円形とされ、該流体導入孔４８のほぼ直径分だけ第２端壁部材４４から離されている。
【００２５】
流体旋回室４６は、その軸線方向長さが、流体導入孔４８の直径の５倍以上、直径が流体導入孔の直径の４倍以上とされる。図示の例では、流体導入孔４８の直径に対して軸線方向長さが約１２倍、直径が約５倍とされている。
【００２６】
また、流体導入孔４８及びそれの連通された接続用管５４は、当該流体導入孔４８が流体旋回室４６の内壁面に内接して接線方向に延びることを仮想したその内接接線Ｔに対し、内接点Iを中心に１０°以上３０°以内の角度θで延びるように設定され、好ましくは約１５°〜２０°とされる。
【００２７】
筒状部材の内周面は鏡面仕上げとされ、該内周面に開口した流体導入孔４８に周方向で対応する当該内周面の部分には、該内周面の軸線方向で相互に間隔をあけて設けられた、幅及び深さが１ｍｍ以下の複数の環状溝５６が設けられる。図示の例では、流体導入孔４８に周方向で対応する内周面部分に５本の溝が設けられており、更に、その両側に１本ずつ追加の溝が設けられている。また、環状溝５６の具体的サイズとしては、深さ０．３ｍｍ、幅０．５ｍｍとされている。
【００２８】
筒状部材４０及び第１及び第２端壁部材４２，４４は、流体導入孔４８から旋回室４６内に導入される流体によって発生する振動数とは異なる固有振動数を有するような質量等を有するようにされる。
【００２９】
分散器１６は、円筒状の内周面を有する筒状部材６０と、該筒状部材の両端を閉じるように設定された端壁部材６２とを有し、筒状部材６０の軸線方向の中心部分に気体旋回剪断装置１４の流体吐出孔５０に連通された流体入口６４と、筒状部材の軸線に沿って該端壁部材を貫通するように設けられた流体出口６６とを有する。
【００３０】
気体旋回剪断装置１４の流体吐出孔５０から吐出された流体は、分散器１６の流体入口６４から該分散器１６内に流入し、旋回しながら軸線方向両側に分かれて、流体出口６６から液体貯槽内の液体内に分散放出される。
【００３１】
微細気泡発生装置１０を作動させるには、ポンプ１２を駆動し、液体貯留槽内の液体を吸引し、該ポンプ１２、気体旋回剪断装置１４、分散器１６そして液体貯留槽３６を循環する液体の流れを生じさせる。
【００３２】
ポンプ１２が駆動されてから一定時間後、例えば６０秒後にソレノイドバルブ３２が開かれ、空気がパイプ３０を通って吸引され、ポンプのハウジング内には気液が混合した流体が導入される。ポンプのハウジング内に導入された気液混合流体は、インペラーの作用によって該ハウジング内の内周面に沿って駆動されて吐出孔２８を介して吐出されるが、その間に、流体内の気体は該流体内に生じる乱流による剪断力を受けて微細化が行なわれ、一部はミクロレベルまでなるものも生じ得る。
【００３３】
吐出孔２８からの気液混合流体は、気体旋回剪断装置１４の流体旋回室４６内に導入され、該室内で前述の如き旋回流とされ、強力な剪断力を受けて、内部の気体が更に微細化される。この気体旋回剪断装置内での強力な剪断力は多くの気体がナノレベルまで微細化されるのを可能とする。
【００３４】
気体旋回剪断装置１４から吐出された気液混合流体は、分散器１６によって再度旋回流とされながら液体貯留槽３６内に放出される。このため、この分散器においても気泡の微細化は行なわれる。
【００３５】
図示の例では、液体は液体貯留槽からポンプ１２、気体旋回剪断装置１４、分散器１６を通って循環するようになされているが、ポンプへの液体の供給は該液体貯留槽３６とは別のところから供給するようにしても良い。ただ、図示の例のように循環式にすることにより、気体の微細化が口返し行なわれることになるので、より微細な気泡を得ることが可能となる。
【００３６】
具体的な実施例としては、流体旋回剪断装置の筒状部材４０、端壁部材４２，４４を１０ｍｍ厚のステンレススチールで作り、流体旋回室の軸線方向長さ１１０ｍｍ、内径４３−５５ｍｍとし、流体導入孔４８及び接続管５４の内径を１０ｍｍ、第２端壁部材４４から流体導入孔４８の中心線までの間隔を２０ｍｍ、接続管５４の取付角度θを約１８度、ポンプからの吐出量を毎分１２０リットルとした場合、ナノレベルとされた微細気泡が多数発生されるのが確認された。
【００３７】
以上、本発明の微細気泡発生装置の実施形態につき述べたが、この微細気泡発生装置は種々の用途に使用することができる。
【００３８】
例えば、本発明にかかる微細気泡発生装置でナノバブルを発生した水（以下、「ナノバブル水」とする）は界面活性作用、濡れ性が高く、繊維、金属金型、機械部品、シリコン・ウエハーその他種々のものの洗浄に使用することができる。シリコン・ウエハーなどの洗浄においては、窒素のナノバブルとすることが好ましい。
【００３９】
より具体的な例としては、製鉄所で作られる鋼材を圧延した鉄材に発生するスケール（酸化鉄）を除去するための酸洗装置に利用することができる。すなわち、酸洗装置は酸洗槽を備え、該酸洗槽中に貯留した塩酸、硫酸等を含んだ酸洗液を一定温度に加熱し、その中に鉄材を浸漬することにより、表面に発生したスケールを除去するものであるが、前述した本発明にかかる微細気泡発生装置における液体貯留槽３６を酸洗槽として用いるものである。酸洗層内の酸洗液内にナノレベルでの微細気泡を発生することにより、酸洗効果を向上することができ、酸洗作業時間を短縮でき、また、酸洗液の加熱温度も抑えることができる。従ってまた、硫酸や塩酸の使用量を少なくすることが可能であり、この場合、廃液処理も容易になる。また、この変形例としては、液体貯留槽３６内で生じる気泡には、比較的大きな気泡が含まれる場合もあり、酸洗効率の妨げとなることも考えられるので、該液体貯留槽内の酸洗液から、そのような比較的大きな気泡を除去したものを別の酸洗槽に供給して酸洗作業を行なうようにすることもできる。
【００４０】
また、地底に埋蔵されている超重質油を採掘するためには、界面活性剤を含んだ水を地中深くにある超重質油槽に注入し、この水と混じった超重質油を吸い上げることが行なわれるが、ナノバブル水を用いれば、界面活性剤の使用を少なくすることができ、また、採掘した超重質油を界面活性剤から分離する作業も大幅に軽減することが可能となる。
【００４１】
また、ナノバブル水は、浸透性が高く、例えば、アルコール醸造などに利用することができる。すなわち、例えば、日本酒を醸造する場合、精米を初めに水に２４時間位浸けた後で蒸すが、ナノバブル水に浸けた場合は４分の１の６時間位で十分となる。
【００４２】
また、パンや魚肉練り製品などを作るときに、窒素を使ったナノバブル水を作り、このナノバブル水により小麦粉や魚肉を練ると、小麦粉や魚肉中の好気性菌が死滅するので、腐敗防止用剤を使用することなく、これらパンや魚肉練り製品などの腐敗を防止することが可能となる。
【００４３】
更に、河川などの水の浄化に使用することもでき、特に、活性汚泥法を用いた浄化槽では、ナノバブル水を用いれば、活性汚泥すなわちバクテリアを活性化することができ、浄化効率を向上することができる。
【００４４】
さらに、本発明に係る微細気泡発生装置により石油などの燃焼油に酸素若しくは空気のナノバブルを発生させれば、その燃焼効率を大幅に改善することが可能である。
【００４５】
更に、ナノバブルには生理活性作用を奏することができ、例えば、ナノバブルに手を入れれば、毛穴が開き毛穴にある皮脂が除去される。従って、例えば、不織布などの布材にナノバブル水を含浸させることにより手拭用の濡れティシューや化粧落としとすることができる。
【００４６】
また、お風呂で使えば、ナノバブル水の生理活性作用により温浴効果を高めることができる。
【００４７】
また、ナノバブル水のナノバブルを超音波などや光エネルギーなどで破壊することによる微小領域での爆発力を生じることができ、例えば、これにより遺伝子組み換えの際の遺伝子切離しに使用することが可能である。
【図面の簡単な説明】
【００４８】
【図１】本発明に係る微細気泡発生装置を説明するための図である。
【図２】微細気泡発生装置で用いられている気体旋回剪断装置の内部を説明するための図である。
【図３】図２におけるIII‐III線断面図である。
【符号の説明】
【００４９】
微細気泡発生装置１０；渦流ポンプ１２；気体旋回剪断装置１４；分散器１６；ハウジング２０；インペラー２２；液体吸引孔２４；吐出孔２８；パイプ３０；ソレノイドバルブ３２；液体貯留槽３６；パイプ３８；筒状部材４０；第１端壁部材４２；第２端壁部材４４；流体旋回室４６；流体導入孔４８；流体吐出孔５０；環状溝５６；筒状部材６０；流体入口６４；流体出口６６